(57)【要約】      （修正有）【課題】専用レンズを用いずに正反射の影響を少なくできる照明装置を提供する。【解決手段】撮影前に第１の発光を行うとともに撮影動作に応じて第２の発光を行う発光手段と、前記第１の発光による被写体からの反射光を測光する測光手段と、前記測光手段による測光結果に基づき前記第２の発光の発光量を演算する演算手段とを有する照明装置であって、前記第１の発光による被写体からの反射光の色情報を識別する識別手段と、前記第１の発光による被写体からの反射光の輝度を複数の反射領域ごとに検知する検知手段とを備え、前記演算手段は、隣接する第１の反射領域と第２の反射領域との輝度変化が所定量以上であって、かつ、これらの反射領域のうち輝度が高い一方の反射領域の色情報が、前記発光手段の色情報と略同一の場合に、前記一方の反射領域における重み付けを下げて前記第２の発光の発光量を演算する。【選択図】図５
2005134468.tif 000002
【特許請求の範囲】
【請求項１】
被写体に向けて予備発光を行なう手段を有し、前記予備発光に際して、被写体からの反射光を測光する測光手段を有し、前記測光手段からの測光結果に従い本発光の発光量を演算する演算手段を有するストロボ装置において、前記予備発光時の被写体反射光の色情報識別手段と、予備発光時の被写体反射光の輝度分布検知手段とを有し、
隣接する輝度変化が所定量以上の場合で、該領域の色情報が、ストロボの色情報と略同一の場合に、該領域を本発光の演算を行う際の重み付けを下げる本発光演算手段を有する事を特徴とするストロボ装置。
【請求項２】
撮影前に第１の発光を行うとともに撮影動作に応じて第２の発光を行う発光手段と、前記第１の発光による被写体からの反射光を側光する側光手段と、前記側光手段による側光結果に基づき前記第２の発光の発光量を演算する演算手段とを有する照明装置であって、
前記第１の発光による被写体からの反射光の色情報を識別する識別手段と、前記第１の発光による被写体からの反射光の輝度を複数の反射領域ごとに検知する検知手段とを備え、
前記演算手段は、隣接する第１の反射領域と第２の反射領域との輝度変化が所定量以上であって、かつ、これらの反射領域のうち輝度が高い一方の反射領域の色情報が、前記発光手段の色情報と略同一の場合に、前記一方の反射領域における重み付けを下げて前記第２の発光の発光量を演算することを特徴とする照明装置。
【請求項３】
請求項２に記載の照明装置を備えたことを特徴とする撮影装置。
【発明の詳細な説明】
【技術分野】
【０００１】
本発明は、被写体に向けてストロボに予備発光を行わせ、適正露出を得るための発光量演算を行う撮影装置に関するものである。
【背景技術】
【０００２】
ストロボ撮影を行う際に、ストロボによる被写体の反射光を調光して自動露出撮影を行う場合に、被写体側にガラスや鏡などの反射率の高い被写体がある場合に、その高反射率の被写体に露出が引っ張られて結果として主被写体の露出が不足する場合がある。この対策として、ピントの合っている距離に主被写体があるものとして、ストロボを撮影直前にプリ発光を行い、撮影領域を複数に分割した測光センサーで、被写体から帰ってくる反射光を測光し、ある領域の測光結果が撮影距離から求められる輝度よりも高い場合にその領域に高反射物があるとして、その領域の重み付けを下げる事により、正反射の影響受けにくくしたストロボシステムが特許文献１に開示されている。
【特許文献１】特開平３−２８７２４０号公報
【発明の開示】
【発明が解決しようとする課題】
【０００３】
しかしながら、上記特許文献１にて開示の撮影装置では、フォーカスレンズの位置から被写体距離を求めるために、専用のレンズを使用する必要がある。したがって専用のレンズ以外のレンズを使用する場合は、正反射の影響を排除することができなくなってしまう。
【０００４】
本発明は、自動調光ストロボシステムで専用のレンズを用いない場合でも正反射の影響を受けにくいストロボ撮影が可能な撮影装置を提供することを目的としている。
【課題を解決するための手段】
【０００５】
上記の目的を達成するために、本願第１の発明では、被写体に向けて予備発光を行なう手段を有し、前記予備発光に際して、被写体からの反射光を測光する測光手段を有し、前記測光手段からの測光結果に従い本発光の発光量を演算する演算手段を有するストロボ装置またはストロボシステムにおいて、前記予備発光時の被写体反射光の色情報識別手段と、予備発光時の被写体反射光の輝度分布検知手段とを有し、隣接する輝度変化が所定量以上の場合で、該領域の色情報が、ストロボの色情報と略同一の場合に、該領域を本発光の演算を行う際の重み付けを下げる本発光演算手段を有する事を特徴としている。
【０００６】
したがって上記第１の発明では距離情報をもっている専用レンズでなくても、ガラスなどの正反射の影響を受けにくい適正なストロボ写真を得ることができる。
【０００７】
撮影前に第１の発光を行うとともに撮影動作に応じて第２の発光を行う発光手段と、前記第１の発光による被写体からの反射光を側光する側光手段と、前記側光手段による側光結果に基づき前記第２の発光の発光量を演算する演算手段とを有する照明装置であって、前記第１の発光による被写体からの反射光の色情報を識別する識別手段と、前記第１の発光による被写体からの反射光の輝度を複数の反射領域ごとに検知する検知手段とを備え、前記演算手段は、隣接する第１の反射領域と第２の反射領域との輝度変化が所定量以上であって、かつ、これらの反射領域のうち輝度が高い一方の反射領域の色情報が、前記発光手段の色情報と略同一の場合に、前記一方の反射領域における重み付けを下げて前記第２の発光の発光量を演算することを特徴とする照明装置。
【０００８】
上記照明装置はカメラなどの撮影装置に搭載することができる。
【発明の効果】
【０００９】
以上説明したように、本実施形態によれば、プリ発光によるストロボ反射光の各領域毎の測光値が隣接領域と所定値以上の差がある場合に、同領域の色がストロボ光と略同じである場合に正反射による異常反射領域と判定して、同領域の重み付けを下げることにより、正反射の影響を抑えた適正なストロボ写真を撮影する事が可能となった。
【００１０】
また、本実施形態では、デジタルカメラの場合でも撮像素子と別の測光センサを用いたが、撮像素子そのもので、測光および測色してもよいのは言うまでもない。
【発明を実施するための最良の形態】
【００１１】
以下に本発明の実施例について説明する。
【実施例１】
【００１２】
図１には、本発明の第１実施形態である１眼レフレックスカメラ（撮影装置）とこのカメラに装着されたストロボ（照明手段、照明装置）とからなるストロボ撮影システムの主として光学的な構成を示している。
【００１３】
１はカメラ本体であり、その前面には撮影レンズ１１が装着される。カメラ本体１内には光学部品、機械部品、電気回路およびフィルム又はＣＣＤ等の撮像素子などが収納され、写真又は画像撮影が行えるようになっている。
【００１４】
２は主ミラーであり、ファインダー観察状態では撮影光路内に斜設され、撮影状態では撮影光路外に退避する。また、主ミラー２はハーフミラーとなっており、撮影光路内に斜設されているときは、後述する焦点検出光学系に被写体からの光線の約半分を透過させる。
【００１５】
３はファインダー光学系を構成する、撮影レンズ１２〜１４の予定結像面に配置されたピント板であり、４はファインダー光路変更用のペンタプリズムである。
【００１６】
５はアイピースであり、撮影者はこの窓からピント板３を観察することで、撮影画面を観察することができる。
【００１７】
６，７はファインダー観察画面内の被写体輝度を測定するための結像レンズと測光センサであり、結像レンズ６はペンタプリズム４内の反射光路を介してピント板３と測光センサー７とを共役に関係付けている。
【００１８】
８はフォーカルプレーンシャッタである。９は感光部材であり、銀塩フィルム又はＣＣＤ等の撮像素子が用いられる、
２５はサブミラーであり、主ミラー２とともに、ファインダー観察状態では撮影光路内に斜設され、撮影状態では撮影光路外に退避する。このサブミラー２５は、斜設された主ミラー２を透過した光線を下方に折り曲げて、焦点検出ユニット２６の方に導く。
【００１９】
焦点検出ユニット２６は、２次結像ミラー２７、２次結像レンズ２８、焦点検出ラインセンサ２９等から構成されている。２次結像ミラー２７および２次結像レンズ２８は焦点検出光学系を構成しており、撮影レンズ１１の２次結像面を焦点検出ラインセンサ２９上に形成している。
【００２０】
焦点検出ユニット２６は、いわゆる位相差検出法によって撮影レンズ１１の焦点調節状態を検出し、その検出結果は撮影レンズの焦点調節機構を制御する自動焦点検出装置に送られる。
【００２１】
１０はカメラ本体１と撮影レンズ１１との通信インターフェイスとなるマウント接点群である。１２〜１４はレンズである。１群レンズ１２は光軸上を前後に移動することで、撮影画面のピント位置を調整する。２群レンズ１３は光軸上を前後に移動することで撮影レンズ１１の焦点距離を変更し、撮影画面の変倍を行う。１４は固定の３群レンズであり、１５は絞りである。
【００２２】
１６は１群レンズ１２を光軸方向に移動させるフォーカス駆動モータであり、自動焦点調節動作により１群レンズ１２を前後に移動させる。１７は絞り駆動モータであり、絞り１５の開口径を変化させるようこれを駆動する。
【００２３】
１８は外付けタイプのストロボであり、カメラ本体１に装着され、カメラ本体１からの信号に従って発光制御を行うものである。
【００２４】
１９はキセノン管であり、電流エネルギーを発光エネルギーに変換する。２０，２１は反射板とフレネルレンズであり、それぞれ発光エネルギーを効率良く被写体に向けて集光する役目を持つ。
【００２５】
２２はカメラ本体１とストロボ１８との通信インターフェイスとなるストロボ接点群である。
【００２６】
３０はグラスファイバーであり、キセノン管１９の発光量をモニタするために、キセノン管１９から発光した光の一部をフォトダイオード等の第１の受光素子３１に導く。これにより、ストロボ１８の予備発光および本発光の光量をモニタすることができる。
【００２７】
３２はキセノン管１９が発光した光をモニタするためのフォトダイオード等の第２の受光素子である。この第２の受光素子３２の出力により、キセノン管１９の発光電流を制限してフラット発光の制御を行う。
【００２８】
２０ａ，２０ｂは、反射笠２０と一体となったライトガイドであり、受光素子３２又はファイバー３０にキセノン管１９からの光の一部を反射して導く。
次に、図２を用いて、上記ストロボ撮影システムの電気回路構成を説明する。なお、図１と共通の構成要素には同じ符号を付している。
【００２９】
まず、カメラ本体１内の電気回路構成について説明する。カメラマイコン（演算手段、制御手段）１００は、発振器１０１で生成されるクロック信号をもとに動作する。カメラマイコン１００には、焦点検出回路１０５、測光回路１０６、シャッタ制御回路１０７、モータ制御回路１０８、スイッチセンス回路１１０および液晶表示回路１１１が接続されている。また、撮影レンズ１１内に配置されたレンズ制御回路１１２とは、マウント接点１０を介して信号伝達を行い、ストロボ１８内に設けられたストロボマイコン２００とはストロボ接点群２２を介して信号伝達を行う。
【００３０】
焦点検出回路１０５は、カメラマイコン１００からの信号に従って測距素子であるＣＣＤラインセンサ２９の蓄積制御と読み出し制御を行い、それぞれの画素情報をカメラマイコン１００に出力する。カメラマイコン１００はこの情報をＡ／Ｄ変換し、位相差検出法による焦点調節状態の検出を行う。そして、カメラマイコン１００は、レンズマイコン１１２と信号のやりとりを行うことによって、撮影レンズ１１の焦点調節制御を行う。
【００３１】
測光センサー７は、被写体に向けてストロボ光を予備発光していない定常状態と予備発光している状態と双方の状態で輝度信号を出力し、カメラマイコン１００は輝度信号をＡ／Ｄ変換し、撮影の露出調節のための絞り値およびシャッタ速度の演算と、露光時のストロボ本発光量の演算とを行うとともに被写体の測色も行うが、これに関しては後述する。
【００３２】
シャッタ制御回路１０７は、カメラマイコン１００からの信号に従ってフォーカルプレンシャッタ８を構成するシャッタ先幕駆動マグネットＭＧ−１およびシャッタ後幕駆動マグネットＭＧ−２の通電制御を行い、先幕および後幕を走行させ、露出動作を行う。
【００３３】
モータ制御回路１０８は、カメラマイコン１００からの信号に従ってモータを制御することにより、主ミラー２のアップダウンおよびシャッタチャージなどを行う。
【００３４】
フィルム走行検知回路１０９は、銀塩カメラの場合のフィルム給送時にフィルムが１駒分巻き上げられたか否かを検知し、カメラマイコン１００に信号を送る。なお、撮像素子で撮像を行うデジタルカメラの場合は、このフィルム走行検知回路１０９は設けられない。
【００３５】
ＳＷ１は不図示のレリーズボタンの第１ストローク（半押し）操作でＯＮし、測光、ＡＦ（自動焦点調節）を開始させるスイッチである。ＳＷ２はレリーズボタンの第２ストローク（全押し）操作でＯＮし、シャッタ走行、すなわち露光動作を開始させるスイッチである。
【００３６】
ＳＷＦＥＬＫは、予備発光を独立して行わせるスイッチである。ＳＷ１，ＳＷ２，ＳＷＦＥＬＫおよびその他不図示の操作部材である感材感度設定スイッチ、絞り設定スイッチ、シャッタ速度設定スイッチなどの各スイッチの信号は、スイッチセンス回路１１０により検知され、カメラマイコン１００に送られる。
【００３７】
液晶表示回路１１１は、ファインダー内表示器２４と外部表示器４２をカメラマイコン１００からの信号に従って制御する。
【００３８】
次に、撮影レンズ１１内の電気回路構成について説明する。カメラ本体１と撮影レンズ１１とはレンズマウント接点１０を介して相互に電気的に接続される。このレンズマウント接点１０は、撮影レンズ１１内のフォーカス駆動用モータ１６および絞り駆動用モータ１７の電源用接点である接点Ｌ０と、レンズマイコン１１２の電源用接点Ｌ１と、シリアルデータ通信を行うためのクロック用接点Ｌ２と、カメラ本体１から撮影レンズ１１へのデータ送信用接点Ｌ３と、撮影レンズ１１からカメラ本体１へのデータ送信用接点Ｌ４と、モータ用電源に対するモータ用グランド接点Ｌ５と、レンズマイコン１１２用電源に対するグランド接点Ｌ６とから構成されている。
【００３９】
レンズマイコン１１２は、これらのレンズマウント接点１０を介してカメラマイコン１００と接続され、カメラマイコン１００からの信号に応じて１群レンズ駆動モータ１６および絞りモータ１７を動作させ、撮影レンズ１１の焦点調節と絞りを制御する。３５，３６は光検出器とパルス板であり、レンズマイコン１１２がパルス数をカウントすることにより１群レンズ１２の位置情報を得る。これにより、撮影レンズ１１の焦点調節を行うことができる。
【００４０】
次に、図３を用いて測光センサー７の詳細を説明する。
７は図１に示した測光センサー７を拡大して入射面から眺めたものであり、７ａはその一部を拡大したものである。
この測光センサー７は７ａで示す様に、測色をする為に、センサーの前面に、赤（Ｒ）、緑（Ｇ）、青（Ｂ）の原色フィルターが交互に配色されている。各々の測光結果の出力は公知の対数圧縮増幅器を経て向かって左上から順次カメラマイコン１００に送られる。カメラマイコンは各々のセンサーの出力をＡ／Ｄ変換を行ってデジタル値として読み込み、カメラマイコン内の不図示のＲＡＭに記憶する。
【００４１】
次に、ストロボ１８の構成について、図４を用いて説明する。２０１は電源電池である。２０２はＤＣ−ＤＣコンバータであり、電池電圧を数１００Ｖに昇圧する。
【００４２】
２０３は発光エネルギーを蓄積するメインコンデンサである。２０４，２０５は抵抗であり、メインコンデンサ２０３の電圧を所定比に分圧する。
【００４３】
２０６は発光電流を制限するためのコイル、２０７は発光停止時に発生する逆起電圧を吸収するためのダイオード、１９はＸｅ(キセノン)管である。２１１はトリガ発生回路、２１２はＩＧＢＴなどの発光制御回路である。
【００４４】
２３０はデータセレクタであり、Ｙ０，Ｙ１の２入力の組み合わせにより、Ｄ０，Ｄ１，Ｄ２を選択してＹに出力する。２３１はフラット発光の発光レベル制御用のコンパレータ、２３２は閃光発光時の発光量制御用のコンパレータである。
【００４５】
３２はフラット発光制御用の受光センサであるフォトダイオードであり、Ｘｅ管１９の光出力をモニタする。２３４はフォトダイオード３２に流れる微少電流を増幅すると共に光電流を電圧に変換する測光回路である。
【００４６】
３１は閃光発光制御用の受光センサであるフォトダイオードであり、Ｘｅ管１９の光出力をモニタする。２３６はフォトダイオード３１に流れる光電流を対数圧縮するとともにＸｅ管１９の発光量を圧縮積分するための積分測光回路である。
【００４７】
２３８はストロボ１８全体の動作を制御するストロボマイコン、２２はカメラ本体１との通信を行うためにホットシューに設けられた接点群である。
２４２はストロボ１８の電源オンオフを切り換えるための電源スイッチである。
【００４８】
次に、ストロボマイコン２３８の各端子について説明する。ＣＮＴはＤＣ／ＤＣコンバータ２の充電を制御する制御出力端子、ＣＯＭ２はスイッチ２４２のグランド電位に相当する制御出力端子、ＯＦＦはストロボ１８が電源オフ時に選択される入力端子、ＯＮはストロボ１８が電源オン時に選択される入力端子である。
【００４９】
ＣＬＫはカメラ本体１とのシリアル通信のための同期クロックの入力端子、ＤＯは同期クロックに同期して、ストロボ１８からカメラ本体１にシリアルデータを転送するためのシリアル出力端子、ＤＩは同期クロックに同期して、カメラ本体１からストロボ１８にシリアルデータを転送するためのシリアルデータ入力端子である。
【００５０】
ＩＮＴは測光積分回路２３６の積分制御出力端子であり、ＡＤ０は測光積分回路２３６の発光量を示す積分電圧を読み込むためのＡ／Ｄ変換入力端子、ＤＡ０はコンパレータ２３１および２３２のコンパレート電圧を出力するためのＤ／Ａ出力端子である。
【００５１】
Ｙ０，Ｙ１は前述のデータセレクタ２３０の選択状態の出力端子であり、ＴＲＩＧは発光トリガの出力端子である。
【００５２】
次に、本ストロボ撮影システムの動作について図５および図６のフローチャートを用いて説明する。
【００５３】
［＃１０１］
図２で示したカメラ本体１のスイッチＳＷ１がオンされると、カメラマイコン１００は、測光センサ７により定常光での被写体の各領域の輝度Ｂａ（ｘｙ）を測光する。
この定常光の測光を図７の測光センサ７の図を用いて説明する。
【００５４】
図７は図３で説明した測光センサ７の図と同一であり、より詳細に説明するためのものである。測光センサ７は図７ａにしめしたようにＲＧＢの各色フィルタが繰り返しならんでいるが、測光演算の為に本実施例では横方向を７個、縦方向を６個のブロックＰ（０、０）〜Ｐ（６、５）に区分して各ブロック毎の輝度ＢＶａ（０、０）〜ＢＶａ（６、５）を演算している。
【００５５】
各ブロックの輝度ＢＶａ（ｘ、ｙ）を求めるためにはまず各色の輝度を求める。
ここで各色の測光データはすでに対数圧縮されているので、一度リニアデータに変換してから、平均化する。
青輝度Ｂ（ｘ、ｙ）＝ＬＯＧ２（（２＾Ｂ０＋２＾Ｂ１＋２＾Ｂ２＋２＾Ｂ３＋
２＾Ｂ４＋２＾Ｂ５＋２＾Ｂ６＋２＾Ｂ７＋２＾Ｂ８）／９）
赤輝度Ｒ（ｘ、ｙ）＝ＬＯＧ２（（２＾Ｒ０＋２＾Ｒ１＋２＾Ｒ２＋２＾Ｒ３＋
２＾Ｒ４＋２＾Ｒ５＋２＾Ｒ６＋２＾Ｒ７＋２＾Ｒ８）／９）
緑輝度Ｇ（ｘ、ｙ）＝ＬＯＧ２（（２＾Ｇ０＋２＾Ｇ１＋２＾Ｇ２＋２＾Ｇ３＋
２＾Ｇ４＋２＾Ｇ５＋２＾Ｇ６＋２＾Ｇ７＋２＾Ｇ８＋
２＾Ｇ９＋２＾Ｇ１０＋２＾Ｇ１１＋２＾Ｇ１２＋
２＾Ｇ１３＋２＾Ｇ１４＋２＾Ｇ１５＋２＾Ｇ１６＋
２＾Ｇ１７）／１８）
したがってこのブロックの輝度ＢＶａ（ｘ、ｙ）は
ＢＶａ（ｘ、ｙ）＝ｋＧ＊Ｇ（ｘ、ｙ）＋ｋＲ＊Ｒ（ｘ、ｙ）＋
ｋＢ＊Ｂ（ｘ、ｙ）
で計算することができる。なお、各係数ｋＧ、ｋＲ、ｋＢは視感度特性を補正した定数であり、各フィルターの透過率を元に決めている。
【００５６】
この演算をＰ（０、０）からＰ（６、４）まで行い定常光での各ブロックの被写体輝度を求める。
【００５７】
［＃１０２］
カメラマイコン１００は、測光した被写体輝度値ＢＶａ（０，０）〜ＢＶａ（６，４）より露出値（ＢＶｓ）を決定する。
例えばカメラの測光モードが平均測光であれば露出値ＢＶｓは
ＢＶｓ＝ＬＯＧ２（（２＾ＢＶａ（０，０）＋２＾ＢＶａ（０，１）＋
・・・・
＋２＾ＢＶａ（６，４））／３５）
により求められ、中央部重点測光であれば、図８で示した中央部重点測光用の重み付けテーブルを用いて
ＢＶｓ＝ＬＯＧ２（２＾ＢＶａ（０，０）＊Ｋ（０，０）＋
２＾ＢＶａ（０，１）＊Ｋ（０，１）＋
・・・・
＋２＾ＢＶａ（６，４））＊Ｋ（６．４）／６４）
で求める事ができる。
【００５８】
そして、設定されたカメラの撮影モードに従って、シャッタ速度の値（ＴＶ）と絞りの値（ＡＶ）とを決定する。
【００５９】
［＃１０３］
＃１０２で決定されたＴＶ値とＡＶ値をファインダー内表示器２２および外部表示器４２に表示する。
【００６０】
［＃１０４］
撮影開始スイッチＳＷ２がオンされていれば＃１０５に進み、オフであれば＃１０１に戻る。
【００６１】
［＃１０５］
撮影開始スイッチＳＷ２がオンされている場合は、カメラマイコン１００は、通信端子Ｓ０，Ｓ１，Ｓ２を通してシリアル通信によりストロボマイコン２３８に対して予備発光を指令する。ストロボマイコン２３８は、この予備発光指令を受けて、所定光量での予備発光動作を行う。
【００６２】
以下に予備発光動作について説明する。
【００６３】
＜予備（プリ）発光動作＞
ストロボマイコン２３８は、カメラ本体１より指示された所定発光レベルに応じて、ＤＡ０端子に所定の電圧を設定する。次に、ＳＥＬ１，ＳＥＬ０にＨｉ、Ｌｏを出力し、入力Ｄ２を選択する。このときＸｅ管１９はまだ発光していないので、受光素子３２の光電流はほとんど流れず、コンパレータ２３１の反転入力端子に入力されるモニタ回路２３４の出力が発生せず、コンパレータ２３１の出力はＨｉであるので、発光制御回路２１２は導通状態となる。
【００６４】
次に、ＴＲＩＧ端子よりトリガ信号を出力すると、トリガ回路２１１は高圧を発生したＸｅ管１９を励起し発光が開始される。
【００６５】
一方、ストロボマイコン２３８は、積分回路２３６に積分開始を指示し、積分回路２３２はモニタ回路２３６の出力、すなわち光量積分用の受光素子３１の対数圧縮された光電出力の積分を開始すると同時に、発光時間をカウントするタイマーを起動させる。
【００６６】
予備発光が開始されると、フラット発光の発光レベル制御用受光素子３２からの光電流が多くなり、モニタ回路２３４の出力が上昇する。そして、モニタ回路２３４の出力がコンパレータ２０５の非反転入力に設定されている所定のコンパレート電圧より高くなると、コンパレータ２３１の出力はＬｏに反転し、発光制御回路２１２はＸｅ管１９の発光電流を遮断する。これにより、放電ループが断たれるが、ダイオード２０９およびコイル２０６により環流ループを形成し、発光電流は回路の遅れによるオーバーシュートが収まった後、徐々に減少する。
【００６７】
発光電流の減少に伴い、発光レベルが低下するので、受光素子３２の光電流は減少し、モニタ回路２３４の出力も低下する。そして、所定のコンパレートレベル以下に低下すると、再びコンパレータ２３１の出力がＨｉに反転し、発光制御回路２１２が再度導通してＸｅ管１９の放電ループが形成され、発光電流が増加して発光レベルも増加する。
【００６８】
このように、ＤＡ０に設定された所定のコンパレート電圧を中心に、コンパレータ２３１は短い周期で発光レベルの増加減少を繰り返し、結果的には、所望するほぼ一定の発光レベルで発光を継続させるフラット発光の制御が行われる。
【００６９】
前述したタイマーのカウントにより所定の発光時間が経過すると、ストロボマイコン２３８はＳＥＬ１，ＳＥＬ０端子をＬｏ，Ｌｏに設定する。これにより、データセレクタ２０６の入力はＤ０、すなわちＬｏレベル入力が選択され、出力は強制的にＬｏレベルとなり、発光制御回路２１２はＸｅ管１９の放電ループを遮断する。これにより、予備発光（フラット発光）が終了する。
【００７０】
発光終了時に、ストロボマイコン２３８は、予備発光量を積分した積分回路２３６の出力をＡ／Ｄ入力端子ＡＤ０から読み込んでＡ／Ｄ変換し、積分値、すなわち予備発光時の発光量をディジタル値として読み取る。
【００７１】
［＃１０６］
予備発光による被写体反射光は、撮影レンズ１１を通して、カメラ本体１の測光センサ７で受光される。予備発光時の被写体反射光は＃１０１と同様の方法で各ブロック毎に演算され、これによりストロボ反射光による被写体輝度ＢＶｆ（ｘ，ｙ）が測光される。
【００７２】
［＃１０７］
カメラマイコン１００は、予備発光時の被写体輝度ＢＶｆ（ｘ、ｙ）から＃１００で求めた自然光による被写体輝度ＢＶａを差し引く下記（１）式により、予備発光による反射光分のみの輝度値を抽出する。
【００７３】
ｄＦ（ｘ、ｙ）＝ＬＯＧ２（２＾ＢＶｆ（ｘ、ｙ）−２＾ＢＶａ（ｘ、ｙ））              …（１）
［＃１０８］
隣接粋との輝度差Ｄｉｆ（ｘ、ｙ）を求める。
図８は＃１０７でもとめた各ブロック毎の予備発光による反射光のみの輝度値を表すものであり、隣接粋との輝度差Ｄｉｆ（ｘ、ｙ）は測光センサーの最外周を除いたｘ＝１〜５および、ｙ＝１〜３の領域のみ求める
例えば図８に示したｘ＝１、ｙ＝１の座標での輝度差Ｄｉｆ（１、１）は
ｘ＝１、ｙ＝１の外周部分である斜線部分ｄＦ（０，０）、ｄＦ（１，０）、ｄｆ（２，０）、ｄＦ（０，１）、ｄＦ（２，１）、ｄＦ（０、２）、ｄＦ（１，２）、ｄＦ（２，２）の平均輝度とｄＦ（１，１）の輝度の差を取る。
したがって各座標の隣接輝度差Ｄｉｆ（ｘ、ｙ）ｘ＝１〜５、ｙ＝１〜３は
以下の式で求めることができる。
【００７４】
Ｄｉｆ（ｘ、ｙ）＝ＬＯＧ２（２＾ｄＦ（ｘ、ｙ）―
（２＾ｄＦ（ｘ−１、ｙ−１）＋
２＾ｄＦ（ｘ、ｙ−１）＋
２＾ｄＦ（ｘ＋１、ｙ−１）＋
２＾ｄＦ（ｘ−１、ｙ）＋
２＾ｄＦ（ｘ＋１、ｙ）＋
２＾ｄＦ（ｘ−１、ｙ＋１）＋
２＾ｄＦ（ｘ、ｙ＋１）＋
２＾ｄＦ（ｘ＋１、ｙ＋１））／８））
［＃１０９］
次に＃１０８で求めた隣接輝度差Ｄｉｆ（ｘ、ｙ）があらかじめ定められた所定値以上である場合は、異常反射光領域があるものとして＃１１０にすすみ所定値以下である場合は異常反射光領域がないので、＃１１３にすすむ。
【００７５】
［＃１１０］
全ての異常反射領域の色演算を行う。
すなわち、異常反射領域の色傾向Ｔｘ（ｘ、ｙ）は異常反射領域の緑輝度Ｇ（ｘ，ｙ）に対する（緑輝度Ｇ（ｘ、ｙ）＋赤輝度Ｒ（ｘ、ｙ））の割合で求める。
Ｔｘ（ｘ、ｙ）＝２＾Ｇ（ｘ、ｙ）／（２＾Ｇ（ｘ、ｙ）＋２＾Ｒ（ｘ、ｙ））
［＃１１１］
＃１１０で求めた全ての異常反射領域において、色傾向Ｔｘ（ｘ、ｙ）とあらかじめ記憶されているストロボ光での色傾向Ｔｘａを比較して所定幅以内であるならば、異常反射領域はストロボ光による正反射と判断し、＃１１２に進み、正反射領域と認められない場合は＃１１３に進む。
【００７６】
［＃１１２］
正反射と認められた領域では図９に示した周辺領域と正反射領域の輝度差に応じた重み付けテーブルにより、正反射領域の測光値ｄＦ（ｘ、ｙ）に重み付け係数を加算する。
【００７７】
［＃１１３］
測光センサ７の最外周を除いた領域を所定のブロック（例えば３×３）に平均化して各ブロックの平均ｄＦを算出する。これは１つのブロックだけではストロボ調光用に用いるには領域が狭すぎるので測光結果を平均化するわけである。
この際図１１に示したブロック平均化重み付けテーブルを用いて各ｄＦを重み付けした上で加算する。
平均ｄｆ（ｘ，ｙ）ｘ＝２〜４、ｙ＝２〜３
＝ＬＯＧ２（（２＾ｄＦ（ｘ−１，ｙ−１）＊ｂｋ（０，０）＋
２＾ｄＦ（ｘ，ｙ−１）＊ｂｋ（１，０）＋
２＾ｄＦ（ｘ＋２，ｙ―１）＊ｂｋ（２，０）＋
２＾ｄＦ（ｘ−１，ｙ）＊ｂｋ（０，１）＋
２＾ｄＦ（ｘ，ｙ）＊ｂｋ（１，１）＋
２＾ｄＦ（ｘ＋１，ｙ）＊ｂｋ（２，１）＋
２＾ｄＦ（ｘ−１，ｙ＋１）＊ｂｋ（０，２）＋
２＾ｄＦ（ｘ，ｙ＋１）＊ｂｋ（１，２）＋
２＾ｄＦ（ｘ＋１，ｙ＋１）＊ｂｋ（２、２））／１２））
［＃１１４］
次に、＃１１３で求めた予備発光による反射光分のみの平均ｄＦから最大となる領域を主被写体領域として、同領域が適正光量になるように本発光量γを求める。
【００７８】
γ＝ＬＮ２（２＾ＢＶｓ−２＾平均ＢＶａ（ｘ，ｙ））−平均ｄＦ（ｘ，ｙ）
なお、この平均ＢＶａは＃１１３で平均ｄＦを求めたのと同様に、以下の式により求める。
平均ＢＶａ（ｘ，ｙ）
＝ＬＯＧ２（（２＾ＢＶａ（ｘ−１，ｙ−１）＊ｂｋ（０，０）＋
２＾ＢＶａ（ｘ，ｙ−１）＊ｂｋ（１，０）＋
２＾ＢＶａ（ｘ＋２，ｙ―１）＊ｂｋ（２，０）＋
２＾ＢＶａ（ｘ−１，ｙ）＊ｂｋ（０，１）＋
２＾ＢＶａ（ｘ，ｙ）＊ｂｋ（１，１）＋
２＾ＢＶａ（ｘ＋１，ｙ）＊ｂｋ（２，１）＋
２＾ＢＶａ（ｘ−１，ｙ＋１）＊ｂｋ（０，２）＋
２＾ＢＶａ（ｘ，ｙ＋１）＊ｂｋ（１，２）＋
２＾ＢＶａ（ｘ＋１，ｙ＋１）＊ｂｋ（２、２））／１２））
［＃１１５］
カメラマイコン１００は演算された本発光量γを通信端子Ｓ０，Ｓ１，Ｓ２を通してシリアル通信によりストロボマイコン２３８に対して指令する。
【００７９】
［＃１１６］
シャッタ速度が同調速度以下の場合は＃１１７に分岐し、同調速度より早い場合は＃１１８に分岐する。
【００８０】
［＃１１７］
シャッタ速度が同調速度以下の場合は、カメラマイコン１００はストロボマイコン２３８に対して閃光発光モードを送信する。
【００８１】
［＃１１８］
シャッタ速度が同調速度より速い場合は、カメラマイコン１００はストロボマイコン２３８に対してＦＰ発光モードとＦＰ発光時間とを送信する。このＦＰ発光時間は、シャッタ速度に幕速を加えたものである。
【００８２】
［＃１１９］
主ミラー２を跳ね上げて撮影光路から退避させると同時に、カメラマイコン１００はレンズマイコン１１２に対して絞り３６の絞り込みを指示する。
【００８３】
［＃１２０］
主ミラー２が撮影光路から完全に退避するのを待つ。
【００８４】
［＃１２１］
主ミラー２が完全に跳ね上がると、カメラマイコン１００は先幕駆動マグネットＭＧ−１に通電し、フォーカルプレンシャッタ８の開放動作を開始させる。
【００８５】
［＃１２２］
発光モードがＦＰ発光モードの場合は＃１２４に進み、閃光発光モードの場合は＃１２３に進む。
【００８６】
［＃１２３］
閃光発光モードでは、フォーカルプレンシャッタ８の先幕が完全に開いて不図示のＸ接点がＯＮになるまで待ち、これがＯＮになると＃１２４に進む。
【００８７】
［＃１２４］
ストロボマイコン２３８はカメラマイコン１００から指令された発光モードに応じた本発光制御を行う。すなわち、ＦＰ発光モードの場合はＦＰ発光制御を行い、閃光発光モードの場合は閃光発光制御を行う。
【００８８】
＜閃光発光制御＞
カメラのシャッタ速度がストロボ同調速度以下の場合は閃光発光制御が行われる。ここでは、ストロボマイコン２３８は、まず設定されたマニュアル発光量に応じた制御電圧をＤＡ０端子に出力する。この電圧は、前述の予備発光時に説明した積分回路２３６の出力電圧、すなわち積分電圧に対して、予備発光と本発光との光量差に相当する制御電圧を加算した電圧である。
【００８９】
例えば、フル発光量の１／３２の光量で予備発光をした場合の積分電圧をＶ１としたときに本発光量が同じ１／３２の場合は、同じ積分電圧になった時に発光停止すればよいので、コンパレータ２３２のコンパレート電圧としてＶ１を設定する。
【００９０】
同様にして、本発光量が１／１６の場合では、予備発光に対して１段分大きな積分電圧になったときに発光を停止すればよいので、予備発光時の積分電圧に１段分に相当する電圧を加算してコンパレータ３２３のコンパレート電圧として設定する。
【００９１】
次に、ストロボマイコン２３８はＹ１，Ｙ０端子に［０，１］を出力し、データセレクタ２３０のＤ１入力に接続された閃光発光制御用コンパレータ２３２を選択する。
【００９２】
このときはＸｅ管１９はまだ発光していないので、フォトダイオード３１にはほとんど光電流が流れない。このため、積分回路２３６の出力は発生せず、コンパレータ２３２の−入力電圧は＋入力端子よりも電位が低い。したがって、コンパレータ２３２の出力電圧はハイレベルとなり、発光制御回路２１２は導通状態となる。
【００９３】
また、これと同時にストロボマイコン２３８はＴＲＩＧ端子から所定時間の間、Ｈｉ信号を出力する。これにより、トリガ回路２１１は高圧のトリガ電圧を発生する。Ｘｅ管１８のトリガ電極に高圧が印加されると、Ｘｅ管１９は発光を開始する。
【００９４】
Ｘｅ管１９が発光を開始すると、フォトダイオード３１に高電流が流れ、積分回路２３６の出力が上昇し、コンパレータ２３２の＋入力端子に設定された所定の電圧に達すると、コンパレータ２３２が反転し、その出力電圧はローレベルとなり、発光制御回路２１２は遮断状態となるので発光が停止される。
【００９５】
この時点で、Ｘｅ管１９は所定の発光量を発生して発光を停止することになり、ストロボ撮影に必要な所望の光量が得られる。
【００９６】
＜ＦＰ（フラット）発光制御＞
カメラのシャッタ速度がストロボ同調速度より速い場合はＦＰ発光制御が行われる。
【００９７】
ストロボマイコン２３８は、設定されたマニュアルＦＰ発光量に応じた制御電圧をＤＡ０端子に出力する。すなわち、前述の予備発光時にコンパレータ２３１のコンパレート電圧として設定した電圧に対して、予備発光と本発光との光量差に相当する制御電圧を加算した電圧である。
【００９８】
例えば、フル発光の１／３２の発光で予備発光をした場合の制御電圧をＶ１としたときに、本発光が同じ１／３２発光の場合は、同じ制御電圧でＦＰ発光制御をすればよいので、コンパレータ２３２のコンパレート電圧としてＶ１を設定する。
【００９９】
同様にして、本発光量が１／１６の場合では予備発光に対して１段分大きな制御電圧とすればよいので、予備発光時の積分電圧に１段分に相当する電圧を加算してコンパレータ２３１のコンパレート電圧として設定する。
【０１００】
次に、ストロボマイコン２３８はＹ１，Ｙ０端子に［１，０］を出力し、データセレクタ２３０のＤ１入力に接続された閃光発光制御用のコンパレータ２３１を選択する。この後、前述の予備発光動作と同一の動作でＦＰ発光が行われ、カメラマイコン１００から指示された所定時間が経過すると、カメラマイコン２３８のＹ１，Ｙ０端子を［０，０］に設定して発光処理を終了する。
【０１０１】
［＃１２５］
所定のシャッタ開放時間が経過すると、カメラマイコン１００は後幕駆動マグネットＭＧ−２に通電し、シャッタ８の後幕を閉じて露出を終了する。なお発光モードがＦＰ発光の場合は、後幕が完全に閉じるまで発光が継続する。
【０１０２】
［＃１２６］
一連の撮影シーケンスが終了すると、主ミラー２をダウンさせ、撮影を終了する。
【図面の簡単な説明】
【０１０３】
【図１】本発明の第１実施形態であるストロボ撮影システムの横断面図。
【図２】上記第１実施形態であるストロボ撮影システムの電気回路ブロック図。
【図３】上記第１実施形態であるストロボ撮影システムの測光センサの説明図。
【図４】上記第１実施形態のストロボ撮影システムを構成するストロボの電気回路ブロック図。
【図５】上記第１実施形態のストロボ撮影システムを構成するカメラ本体の動作を示すフローチャート。
【図６】上記第１実施形態のストロボ撮影システムを構成するカメラ本体の動作を示すフローチャート。
【図７】上記第１実施形態であるストロボ撮影システムの測光センサの詳細説明図。
【図８】上記第１実施形態であるストロボ撮影システムの部分測光時の感度分布の設定図。
【図９】上記第１実施形態であるストロボ撮影システムのストロボ反射光の隣接領域輝差の算出方法を示す説明図。
【図１０】上記第１実施形態であるストロボ撮影システムの隣接領域との輝度差に対する重み付け係数の説明図。
【図１１】上記第１実施形態であるストロボ撮影システムの測光ブロック語との平均輝度を算出する最の重み付け係数の説明図。
【符号の説明】
【０１０４】
１９  キセノン管
２４  ファインダー内表示器
４２  外部表示器
１００  カメラマイコン
１１２  レンズマイコン
２３６  ストロボマイコン
【図１】
2005134468.tif 000003
【図２】
2005134468.tif 000004
【図３】
2005134468.tif 000005
【図４】
2005134468.tif 000006
【図５】
2005134468.tif 000007
【図６】
2005134468.tif 000008
【図７】
2005134468.tif 000009
【図８】
2005134468.tif 000010
【図９】
2005134468.tif 000011
【図１０】
2005134468.tif 000012
【図１１】
2005134468.tif 000013